(57)【特許請求の範囲】
【請求項１】
電力系統の監視、制御、潮流計算を行なう電力系統監視制御装置において、
監視、制御を行う電力系統範囲に設置された電気設備のノードデータ、ブランチデータを含む電気設備データが定義された設備ＤＢファイルと、
オペレータの指示を入力する第１のＨＭＩと、
前記第１のＨＭＩを介して入力されるオペレータの送電線指定指示に基づいて、電力系統内の送電線を指定する送電線指定手段と、
前記送電線指定手段によって指定された送電線と対応するブランチデータを設備ＤＢファイルから検索し、置換ブランチファイルに保存する送電線ブランチ検索手段と、
前記送電線指定手段によって指定された送電線に接続する母線と対応するノードデータを設備ＤＢファイルから検索し、設置ノードファイルに保存する母線ノード検索手段と、
前記第１のＨＭＩを介して入力されるオペレータの計算系統指定指示と設備ＤＢファイルに定義されたデータとに基づいて、潮流計算を行う電力系統を指定する計算系統指定手段と、
前記第１のＨＭＩを介して入力されるオペレータの擬似モデル指定指示に基づいて、前記送電線指定手段により指定される送電線と置換する擬似モデルを、擬似発電機あるいは擬似負荷のいずれかから指定する擬似モデル指定手段と、
前記設置ノードファイルに保存されたノードデータに前記擬似モデル指定手段によって指定された擬似モデルを設定し、前記設置ノードファイルに保存されたノードデータ及び前記設備ＤＢファイルに保存された設備データに基づいて、計算用電力系統データを作成し、縮約計算用系統ファイルに保存する擬似モデル挿入手段と、
前記縮約計算用系統ファイルに保存された計算用電力系統データから前記置換ブランチファイルに保存されたブランチデータを削除するブランチ削除手段と、
監視、制御を行う電力系統範囲に設置された電気設備の状態が保存されたオンラインＳＶファイルと、
前記縮約計算用系統ファイルに保存された計算用電力系統データと前記オンラインＳＶファイルに保存された電気設備の状態に基づいて、電気的に等価となるノードデータ、ブランチデータを縮退する系統縮退手段と、
オペレータの指示を入力する第２のＨＭＩと、
潮流計算の入力データとなる実績値が保存されたオンラインＴＭファイルと、
前記第２のＨＭＩを介して入力されるオペレータの指示と前記オンラインＴＭファイルに保存された実績値とに基づいて、潮流計算に用いる入力データを出力する計算データ入力手段と、
前記第２のＨＭＩを介して入力されるオペレータの指示と前記縮約計算用系統ファイルに保存された計算用電力系統データと前記オンラインＴＭファイルに保存された実績値とに基づいて、前記擬似モデル指定手段によって指定された擬似負荷又は擬似発電機のＴＭ値を設定する擬似モデルＴＭ設定手段と、
前記第２のＨＭＩを介して入力されるオペレータの計算指示があった場合に、前記系統縮退手段によって縮退された計算用電力系統データと、前記計算データ入力手段から出力された入力データと、前記擬似モデルＴＭ設定手段によって設定されたＴＭ値とに基づいて、潮流計算を実行する計算実行手段とを
備えることを特徴とする電力系統監視制御装置。
【請求項２】
前記第１のＨＭＩと前記第２のＨＭＩは、同一のＨＭＩであることを特徴とする請求項１記載の電力系統監視制御装置。
【請求項３】
前記擬似モデル指定手段は、前記オンラインＴＭファイルに保存された実績値と、前記送電線指定手段により指定された送電線とに基づいて、擬似モデルを指定することを特徴とする請求項１又は２記載の電力系統監視制御装置。
【請求項４】
前記送電線指定手段は、前記計算系統指定手段により指定された電力系統に基づいて、計算電力系統範囲と計算対象範囲外との境界となる送電線を指定することを特徴とする請求項１乃至３のいずれか１項に記載の電力系統監視制御装置。
【請求項５】
前記第１のＨＭＩを介して入力されるオペレータの連絡用変圧器指定指示に基づいて、電力系統内の連絡用変圧器を指定する連変指定手段と、
前記連変指定手段によって指定された連絡用変圧器と対応するブランチデータを設備ＤＢファイルから検索し、置換ブランチファイルに保存する連変ブランチ検索手段とを備え、
前記母線ノード検索手段は、前記送電線指定手段によって指定された送電線と、前記連変指定手段によって指定された連絡用変圧器とが接続する母線と対応するノードデータを設備ＤＢファイルから検索し、設置ノードファイルに保存する
ことを特徴とする請求項１乃至４のいずれか１項に記載の電力系統監視制御装置。
【請求項６】
前記第１のＨＭＩを介して入力されるオペレータの指示に基づいて、前記母線ノード検索手段、前記送電線ブランチ検索手段及び前記連変ブランチ検索手段を起動する検索起動手段と、
事前に設定された送電線又は連絡用変圧器が保存された置換指定ＤＢファイルとを備え、
前記送電線ブランチ検索手段は、前記置換指定ＤＢファイルに保存された送電線を、前記設備ＤＢファイルに保存された電気設備データから検索し、
前記母線ノード検索手段は、前記置換指定ＤＢファイルに保存された送電線又は連絡用変圧器と接続する母線を、前記設備ＤＢファイルに保存された電気設備データから検索し、
前記連変ブランチ検索手段は、前記置換指定ＤＢファイルに保存された連絡用変圧器を、前記設備ＤＢファイルに保存された電気設備データから検索することを特徴とする請求項５記載の電力系統監視制御装置。
【請求項７】
他業務機能からの潮流計算を行う起動要求及び電力系統指定指示を受信する他業務起動受信手段と、
前記他業務起動受信手段により受信した電力系統指定指示により指定された電力系統から、計算電力系統範囲と計算対象範囲外との境界となる送電線又は連絡用変圧器を解析する受信データ解析手段と、
前記受信データ解析手段により解析された送電線又は連絡用変圧器のデータを保存する置換指定データファイルとを備え、
前記計算系統指定手段は、前記受信データ解析手段により解析された送電線又は連絡用変圧器と設備ＤＢファイルに定義されたデータとに基づいて、潮流計算を行う電力系統を指定し、
前記擬似モデルＴＭ設定手段は、前記受信データ解析手段により解析された送電線又は連絡用変圧器と前記縮約計算用系統ファイルに保存された計算用電力系統データと前記オンラインＴＭファイルに保存された実績値とに基づいて、前記擬似モデル指定手段によって指定された擬似負荷又は擬似発電機のＴＭ値を設定し、
前記計算データ入力手段は、前記受信データ解析手段により解析された送電線又は連絡用変圧器と前記オンラインＴＭファイルに保存された実績値とに基づいて、潮流計算に用いる入力データを出力し、
前記計算実行手段は、前記受信データ解析手段により計算指示が有ったと判断された場合に、前記系統縮退手段によって縮退された計算用電力系統データと、前記計算データ入力手段から出力された入力データと、前記擬似モデルＴＭ設定手段によって設定されたＴＭ値とに基づいて、潮流計算を実行する
ことを特徴とする請求項６記載の電力系統監視制御装置。
【請求項８】
電気所に設置された送電線及び連絡用変圧器の情報と前記電気所が潮流計算の対象外である情報とを、前記第２のＨＭＩから又は前記電気所から受け取る電気所データ受信手段と、
前記電気所データ受信手段により受信した送電線及び連絡用変圧器の情報から、計算電力系統範囲と計算対象範囲外との境界となる送電線又は連絡用変圧器を解析する受信データ解析手段と、
前記受信データ解析手段により解析された送電線又は連絡用変圧器を保存する置換指定データファイルとを備え、
前記検索起動手段は、前記受信データ解析手段により解析された送電線又は連絡用変圧器を、前記母線ノード検索手段、前記送電線ブランチ検索手段及び前記連変ブランチ検索手段に受け渡し、
前記計算系統指定手段は、前記受信データ解析手段により解析された送電線又は連絡用変圧器と設備ＤＢファイルに定義されたデータとに基づいて、潮流計算を行う電力系統を指定する
ことを特徴とする請求項６記載の電力系統監視制御装置。
【発明の詳細な説明】
【技術分野】
【０００１】
本発明の実施形態は電力系統の監視、制御、操作、記録を行なうことを目的とした電力
系統監視制御装置に関する。
【背景技術】
【０００２】
従来の電力系統監視制御装置の構成について図１３を用いて説明する。図１３は、従来
の電力系統監視制御装置の構成を示すブロック図である。
【０００３】
オペレータがＨＭＩ１５より計算実行手段１１に潮流計算実施の要求を行なった時、計
算実行手段１１は系統縮退手段１２ならびに計算データ入力手段１４を起動する。
【０００４】
系統縮退手段１２は設備ＤＢファイル１３から設備上定義している全てのノード、ブラ
ンチデータを読み込み、オンラインＳＶファイル１８に保存された、電力設備の状態（遮
断器、断路器の入／切等）を加味して電気的に等価となるノード群を１つの縮退ノードに
、平行に配置されているブランチ群を縮退ブランチにして潮流計算実行手段１１に縮退ノ
ード、縮退ブランチの接続情報を渡す。
【０００５】
計算データ入力手段１４は潮流計算の初期値となる発電機有効電力Ｐ、発電機端子電圧
Ｖ、負荷有効電力Ｐ、負荷無効電力Ｑ等の実績値を保存しているオンラインＴＭファイル
１６の値、もしくはオペレータがＨＭＩ１５より入力したＰ、Ｑ、Ｖ等の値を潮流計算実
行手段１１に渡す。
【０００６】
計算実行手段１１は、系統縮退手段１２、計算データ入力手段１４から受け取ったデー
タを元に潮流計算を実行し計算結果保存ファイル１７に計算結果を保存し、ＨＭＩ１５に
計算終了の通知を行う。
【０００７】
オペレータはＨＭＩ１５に表示された潮流計算終了の通知を受け計算結果保存ファイル
１７に保存されている潮流計算結果を参照する。
【０００８】
上記の構成により、電力系統監視制御装置は、電力系統の潮流計算を実施することが可
能である。
【０００９】
特許文献１は、上述したように系統縮退したデータベースを用いて過渡安定度計算を行
う電力系統縮退モデル作成装置について示している。
【先行技術文献】
【特許文献】
【００１０】
【特許文献１】特開２００８−２１９９７４号公報
【発明の概要】
【発明が解決しようとする課題】
【００１１】
従来の電力系統監視制御装置における潮流計算では、設備ＤＢファイル１３に定義され
ているノード、ブランチのデータで１つの計算系統しか計算できず、計算系統規模を変更
するためには設備ＤＢファイル１３のデータを変更する必要があった。
【００１２】
本発明に係る実施形態は、設備ＤＢファイル１３に定義されているデータを変更するこ
となく、潮流計算対象の計算系統規模を変更できる電力系統監視制御装置を得ることを目
的とする。
【課題を解決するための手段】
【００１３】
電力系統の監視、制御、潮流計算を行なう電力系統監視制御装置において、監視、制御
を行う電力系統範囲に設置された電気設備のノードデータ、ブランチデータを含む電気設
備データが定義された設備ＤＢファイルと、オペレータの指示を入力する第１のＨＭＩと
、前記第１のＨＭＩを介して入力されるオペレータの送電線指定指示に基づいて、電力系
統内の送電線を指定する送電線指定手段と、前記送電線指定手段によって指定された送電
線と対応するブランチデータを設備ＤＢファイルから検索し、置換ブランチファイルに保
存する送電線ブランチ検索手段と、前記送電線指定手段によって指定された送電線に接続
する母線と対応するノードデータを設備ＤＢファイルから検索し、設置ノードファイルに
保存する母線ノード検索手段と、前記第１のＨＭＩを介して入力されるオペレータの計算
系統指定指示と設備ＤＢファイルに定義されたデータとに基づいて、潮流計算を行う電力
系統を指定する計算系統指定手段と、前記第１のＨＭＩを介して入力されるオペレータの
擬似モデル指定指示に基づいて、前記送電線指定手段により指定される送電線と置換する
擬似モデルを、擬似発電機あるいは擬似負荷のいずれかから指定する擬似モデル指定手段
と、前記設置ノードファイルに保存されたノードデータに前記擬似モデル指定手段によっ
て指定された擬似モデルを設定し、前記設置ノードファイルに保存されたノードデータ及
び前記設備ＤＢファイルに保存された設備データに基づいて、計算用電力系統データを作
成し、縮約計算用系統ファイルに保存する擬似モデル挿入手段と、前記縮約計算用系統フ
ァイルに保存された計算用電力系統データから前記置換ブランチファイルに保存されたブ
ランチデータを削除するブランチ削除手段と、監視、制御を行う電力系統範囲に設置され
た電気設備の状態が保存されたオンラインＳＶファイルと、前記縮約計算用系統ファイル
に保存された計算用電力系統データと前記オンラインＳＶファイルに保存された電気設備
の状態に基づいて、電気的に等価となるノードデータ、ブランチデータを縮退する系統縮
退手段と、オペレータの指示を入力する第２のＨＭＩと、潮流計算の入力データとなる実
績値が保存されたオンラインＴＭファイルと、前記第２のＨＭＩを介して入力されるオペ
レータの指示と前記オンラインＴＭファイルに保存された実績値とに基づいて、潮流計算
に用いる入力データを出力する計算データ入力手段と、前記第２のＨＭＩを介して入力さ
れるオペレータの指示と前記縮約計算用系統ファイルに保存された計算用電力系統データ
と前記オンラインＴＭファイルに保存された実績値とに基づいて、前記擬似モデル指定手
段によって指定された擬似負荷又は擬似発電機のＴＭ値を設定する擬似モデルＴＭ設定手
段と、前記第２のＨＭＩを介して入力されるオペレータの計算指示があった場合に、前記
系統縮退手段によって縮退された計算用電力系統データと、前記計算データ入力手段から
出力された入力データと、前記擬似モデルＴＭ設定手段によって設定されたＴＭ値とに基
づいて、潮流計算を実行する計算実行手段とを備えることを特徴とする。
【図面の簡単な説明】
【００１４】
【図１】電力系統監視制御装置の第１の実施形態についての構成を示す図。
【図２】電力系統監視制御装置の第１の実施形態についての作用を示すフローチャート。
【図３】電力系統監視制御装置の第２の実施形態についての構成を示す図。
【図４】電力系統監視制御装置の第２の実施形態についての作用を示すフローチャート。
【図５】電力系統監視制御装置の第３の実施形態についての構成を示す図。
【図６】電力系統監視制御装置の第３の実施形態についての作用を示すフローチャート。
【図７】電力系統監視制御装置の第４の実施形態についての構成を示す図。
【図８】電力系統監視制御装置の第４の実施形態についての作用を示すフローチャート。
【図９】電力系統監視制御装置の第５の実施形態についての構成を示す図。
【図１０】電力系統監視制御装置の第５の実施形態についての作用を示すフローチャート。
【図１１】電力系統監視制御装置の第６の実施形態についての構成を示す図。
【図１２】電力系統監視制御装置の第６の実施形態についての作用を示すフローチャート。
【図１３】従来の電力系統監視制御装置の構成を示す図。
【発明を実施するための形態】
【００１５】
以下、本発明に係る電力系統監視制御装置の実施形態について、図面を参照して説明す
る。
【００１６】
（第１の実施形態）
本発明に係る電力系統監視制御装置の第１の実施形態について図１及び図２を参照して
説明する。図１は、第１の実施形態の電力系統監視制御装置の構成を示している。図２は
、第１の実施形態の電力系統監視制御装置のフローを示している。
【００１７】
図１を用いて第１の実施形態の電力系統監視制御装置の構成について説明する。従来の
電力系統監視制御装置の構成を示す図１３と同一の構成には同一の符号を付し、説明は省
略する。
【００１８】
ＨＭＩ１５ａは、オペレータが潮流計算に用いる各種データを設定、計算結果の参照を
行い、ＨＭＩ１５ｂは、オペレータが計算対象となる計算電力系統範囲の指定を行う。
【００１９】
送電線指定手段２１は、ＨＭＩ１５ｂによって指定された計算電力系統範囲と計算対象
範囲外との境界となる送電線を指定する。計算系統指定手段２２は、ＨＭＩ１５ｂによっ
て指定された計算電力系統範囲と対応する設備ＤＢファイル１３に定義されている設備デ
ータを指定する。系統指定ファイル３２は、計算系統指定手段２２によって指定された計
算対象となる設備データを保存する。
【００２０】
擬似モデル指定手段２３は、ＨＭＩ１５ｂによって指定された計算電力系統範囲に擬似
負荷あるいは擬似発電機のいずれかを設置するかを指定する。
【００２１】
送電線ブランチ検索手段２４は、送電線指定手段２１にて選択した送電線が、設備ＤＢ
ファイル１３のどのブランチに相当するか検索し、該当ブランチを置換ブランチファイル
２５保存する。
【００２２】
母線ノード検索手段２６は、計算系統指定手段２２で指定した電力系統に擬似負荷もし
くは擬似発電機を設定する母線に対応するノードを設備ＤＢファイル１３から検索し、該
当ノードを設置ノードファイル２７に保存する。
【００２３】
擬似モデルＴＭ設定手段２８は、擬似負荷もしくは擬似発電機のＴＭ値を設定する。
【００２４】
ブランチ削除手段２９は、送電線ブランチ検索手段２４によって検索され、置換ブラン
チファイル２５に保存されたブランチを計算対象から切り離す。
【００２５】
擬似モデル挿入手段３０は、設置ノードファイル２７にあるノードに擬似負荷もしくは
擬似発電機を設定する。
【００２６】
縮約計算用系統ファイル３１は、ブランチ削除手段２９と擬似モデル挿入手段３０でで
きた計算用電力系統データを保存する。
【００２７】
次に、上記のように構成された第１の実施形態の作用について図１及び図２を用いて説
明する。
【００２８】
オペレータがＨＭＩ１５ｂより電力系統を分割したい任意の送電線を指定したとき、Ｈ
ＭＩ１５ｂが送電線指定手段２１を起動する（ステップ１０１）。
【００２９】
送電線指定手段２１は送電線ブランチ検索手段２４と母線ノード検索手段２６をそれぞ
れ起動し、指定された送電線の情報を渡す。送電線ブランチ検索手段２４は設備ＤＢファ
イル１３から全送電線データ、全ブランチデータを取り込み、指定された送電線に対応す
るブランチデータを検索して検索結果を置換ブランチファイル２５に保存し、ブランチ削
除手段２９を起動して設備ＤＢファイル１３から取り込んだ全ブランチデータを渡す。
【００３０】
ブランチ削除手段２９は送電線ブランチ検索手段２４より受け取った全ブランチデータ
から置換ブランチファイル２５に保存しているブランチを削除して系統計算用系統ファイ
ル３１に保存する（ステップ１０２）。
【００３１】
母線ノード検索手段２６は設備ＤＢファイル１３から全母線データ、全ノードデータを
取り込み指定された送電線が接続する母線に対応するノードデータを検索して設置ノード
ファイル２７に保存する（ステップ１０３）。
【００３２】
オペレータがＨＭＩ１５ｂより分割したい送電線の替わりに擬似負荷もしくは擬似発電
機のいずれの設置をするかを指定すると、ＨＭＩ１５ｂが擬似モデル指定手段２３を起動
する。擬似モデル指定手段２３はオペレータの指定に従い、擬似モデル挿入手段３０を起
動し擬似負荷モデルもしくは擬似発電機モデルのいずれかの挿入を指定する（ステップ１
０４）。
【００３３】
オペレータがＨＭＩ１５ｂより分割指定した送電線を境界としたいずれの電力系統の計
算を行なうか指定すると、ＨＭＩ１５ｂが計算系統指定手段２２を起動する。計算系統指
定手段２２は設備ＤＢファイル１３の母線データを取り出しオペレータの指定した側の母
線情報を系統指定ファイル３２に保存する（ステップ１０５）。
【００３４】
擬似モデル挿入手段３０は設備ＤＢファイル１３の全ノードデータを取り出し、設置ノ
ードファイル２７に保存してあるノードデータに対して系統指定ファイル３２に保存して
ある母線側のノードデータに擬似モデル指定手段２３より指定された擬似負荷モデルもし
くは擬似発電機モデルを接続して縮約計算用系統ファイル３１にノードデータ、負荷デー
タ、発電機データとここで挿入した擬似負荷データもしくは擬似発電機データを保存する
（ステップ１０６）。
【００３５】
オペレータがＨＭＩ１５ａより潮流計算実行を指定すると、ＨＭＩ１５ａは計算実行手
段１１を起動する。計算実行手段１１は系統縮退手段１２と計算データ入力手段１４と擬
似モデルＴＭ設定手段２８を呼び出す。擬似モデルＴＭ設定手段２８は縮約計算用系統フ
ァイル３１を参照し、擬似負荷モデルもしくは擬似発電機モデルに対応するＴＭ値をオン
ラインＴＭファイル１６から取り出す。
【００３６】
系統縮退手段１２は縮約計算用系統ファイル３１とオンラインＳＶファイル１８に保存
してある、ノード、ブランチ、発電機、負荷等の接続状態を元に潮流計算が実行できるよ
うに系統縮退を行い計算実行手段１１に渡す。計算実行手段１１は系統縮退手段１２から
受け取った系統縮退情報と計算データ入力手段１４と擬似モデルＴＭ設定手段２８から受
け取った発電力値、負荷値、電圧値等の入力データ情報を元に潮流計算を実行し結果を計
算結果保存ファイル１７に保存する（ステップ１０７）。
【００３７】
本実施形態によれば、オペレータがＨＭＩ１５ｂより送電線を指定することで、その送
電線を境界とした計算電力系統範囲を自動で指定することにより、設備ＤＢファイル１３
を変更することなく、計算電力系統範囲を可変で設定することができオペレータが指定し
た計算電力系統範囲の潮流計算が可能となる。
【００３８】
なお、ＨＭＩ１５ｂによって指定される計算電力系統範囲と計算対象範囲外との境界と
なる送電線が複数ある場合も同様の効果を得ることが可能である。
【００３９】
さらに、ＨＭＩ１５ｂによって指定された計算電力系統範囲に擬似負荷あるいは擬似発
電機のいずれかを設置するかを指定していたが、計算対象である計算電力系統範囲と設備
ＤＢファイル１３とに基づいて、自動で擬似負荷あるいは擬似発電機のいずれを設置する
かを指定しても良い。
【００４０】
（第２の実施形態）
本発明に係る電力系統監視制御装置の第２の実施形態について図３、図４を参照して説
明する。図３は、第２の実施形態の電力系統監視制御装置の構成を示している。図４は、
第２の実施形態の電力系統監視制御装置のフローを示している。第１の実施形態と同一の
構成には同一の符号を付し、説明は省略する。
【００４１】
本実施形態の電力系統監視制御装置が第１の実施形態と異なる点は、連変指定手段３３
と連変ブランチ検索手段３４とを備える点である。
【００４２】
連変指定手段３３は、ＨＭＩ１５ｂにて指定される計算電力系統範囲と計算対象範囲外
との境界となる連絡用変圧器を指定する。連変ブランチ検索手段３４は、連変指定手段３
３にて選択された連絡用変圧器が設備ＤＢファイル１３のどのブランチに相当するか検索
する。
【００４３】
上記のように構成された本実施形態の作用について、図３及び図４を参照して説明する
。
【００４４】
オペレータがＨＭＩ１５ｂより電力系統を分割したい任意の送電線を指定したとき、対
応するブランチデータの検索と削除、および全母線から指定した送電線に接続する母線を
検索する手段に関しては第１の実施形態のステップ１０１→１０２→１０３と同じである
ため省略する。
【００４５】
オペレータがＨＭＩ１５ｂより電力系統を分割したい任意の連絡用変圧器を指定したと
き、ＨＭＩ１５ｂが連変指定手段３３を起動する（ステップ１０８）。
【００４６】
変指定手段３３は連変ブランチ検索手段３４と母線ノード検索手段２６をそれぞれ起動
し、指定された連絡用変圧器の情報を渡す。連変ブランチ検索手段３４は設備ＤＢファイ
ル１３から全連絡用変圧器データ、全ブランチデータを取り込み、指定された連絡用変圧
器に対応するブランチデータを検索して検索結果を置換ブランチファイル２５に保存し、
ブランチ削除手段２９を起動して設備ＤＢファイル１３から取り込んだ全ブランチデータ
を渡す。
【００４７】
ブランチ削除手段２９は連変ブランチ検索手段３４より受け取った全ブランチデータか
ら置換ブランチファイル２５に保存しているブランチを削除して系統計算用系統ファイル
３１に保存する（ステップ１０９）。
【００４８】
母線ノード検索手段２６は設備ＤＢファイル１３から全母線データ、全ノードデータを
取り込み指定された連絡用変圧器が接続する母線に対応するノードデータを検索して置換
ノードファイル２７に保存する（ステップ１１０）。
【００４９】
オペレータによる擬似負荷もしくは擬似発電機の指定、計算対象系統の指定、および潮
流計算の実施に関しては、第１の実施形態のステップ１０４→１０５→１０６→１０７と
同じであるためここでは省略する。
【００５０】
本実施形態によれば、オペレータがＨＭＩ１５ｂにより送電線および連絡用変圧器を指
定することで、その送電線および連絡用変圧器を境界とした計算電力系統範囲を自動で指
定することにより、設備ＤＢファイルを変更することなしで計算電力系統範囲を可変で設
定することができオペレータが指定したよりローカルな小系統規模の計算電力系統範囲の
潮流計算が可能となる。
【００５１】
（第３の実施形態）
本発明に係る電力系統監視制御装置の第３の実施形態について図５、図６を参照して説
明する。図５は、第３の実施形態の電力系統監視制御装置の構成を示している。図６は、
第３の実施形態の電力系統監視制御装置のフローを示している。第２の実施形態と同一の
構成には同一の符号を付し、説明は省略する。
【００５２】
図５に示す本実施形態の電力系統監視制御装置が第２の実施形態と異なる点は、送電線
指定手段２１と連変指定手段３３との代わりに、置換指定ＤＢファイル３５と検索起動手
段３６とを備える点である。
【００５３】
検索起動手段３６は、送電線ブランチ検索手段２４と連変ブランチ検索手段３４と母線
ノード検索手段２６を起動する。
【００５４】
置換指定ＤＢファイル３５は、電力系統分割点となる送電線および連絡用変圧器の設備
を保存している置換指定ＤＢファイル３５を備えた構成である。
【００５５】
上記のように構成された本実施形態の作用について、図５及び図６を参照して説明する
。
【００５６】
オペレータがＨＭＩ１５ｂより計算対象の電力系統分割を指定したとき、ＨＭＩ１５ｂ
が検索起動手段３６を起動する。検索起動手段３６は送電線ブランチ検索手段２４と母線
ノード検索手段２６と連変ブランチ検索手段３４をそれぞれ起動する（ステップ１１１）
。
【００５７】
送電線ブランチ検索手段２４は設備ＤＢファイル１３から全送電線データ、全ブランチ
データと置換指定ＤＢファイル３５に保存している分割対象送電線のデータを取り込み、
分割指定された送電線に対応するブランチデータを検索して検索結果を置換ブランチファ
イル２５に保存し、ブランチ削除手段２９を起動して設備ＤＢファイル１３から取り込ん
だ全ブランチデータを渡す。
【００５８】
ブランチ削除手段２９は送電線ブランチ検索手段２４より受け取った全ブランチデータ
から置換ブランチファイル２５に保存しているブランチを削除して系統計算用系統ファイ
ル３１に保存する（ステップ１１２）。
【００５９】
母線ノード検索手段２６は設備ＤＢファイル１３から全母線データ、全ノードデータを
取り込み指定された送電線が接続する母線に対応するノードデータを検索して置換ノード
ファイル２７に保存する（ステップ１０３）。
【００６０】
また、連変ブランチ検索手段３４は設備ＤＢファイル１３から全連絡用変圧器データ、
全ブランチデータと置換指定ＤＢファイル３５に保存している分割対象連絡用変圧器のデ
ータを取り込み、分割指定された連絡用変圧器に対応するブランチデータを検索して検索
結果を置換ブランチファイル２５にブランチデータを保存し、ブランチ削除手段２９を起
動して設備ＤＢファイル１３から取り込んだ全ブランチデータを渡す。
【００６１】
ブランチ削除手段２９は連変ブランチ検索手段３４より受け取った全ブランチデータか
ら置換ブランチファイル２５に保存しているブランチを削除して系統計算用系統ファイル
３１に保存する（ステップ１１３）。
【００６２】
母線ノード検索手段２６は設備ＤＢファイル１３から全母線データ、全ノードデータを
取り込み指定された連絡用変圧器が接続する母線に対応するノードデータを検索して置換
ノードファイル２７に保存する（ステップ１１０）。
【００６３】
オペレータによる擬似負荷もしくは擬似発電機の指定、計算対象系統の指定、および潮
流計算の実施に関しては、第２の実施形態のステップ１０４→１０５→１０６→１０７と
同じであるためここでは省略する。
【００６４】
本実施形態によれば、予め電力系統を分割する送電線および連絡用変圧器を設備ＤＢフ
ァイル１３に指定することで、その送電線および連絡用変圧器を境界とした計算電力系統
範囲をオペレータが毎回系統分割点となる送電線および連絡用変圧器を指定することなく
、設備ＤＢファイル１３を変更することなしで計算電力系統範囲を可変で設定することが
でき該当の計算電力系統範囲の潮流計算が可能となる。
【００６５】
なお、ここで、潮流計算の計算対象とする計算電力系統範囲別にパターン分けしておき
、そのパターンを置換指定ＤＢファイル３６に保存させても良い。この時、オペレータは
置換指定ＤＢに保存されたパターンを選択するのみで、計算電力系統範囲を選択できるた
め、作業効率が向上する。
【００６６】
（第４の実施形態）
本発明に係る電力系統監視制御装置の第４の実施形態について図７、図８を参照して説
明する。図７は、第４の実施形態の電力系統監視制御装置の構成を示している。図８は、
第４の実施形態の電力系統監視制御装置のフローを示している。第２の実施形態と同一の
構成には同一の符号を付し、説明は省略する。
【００６７】
本実施形態の電力系統監視制御装置が第２の実施形態の電力系統監視制御装置と異なる
点は、連変指定手段３３の代わりに、検索起動手段３６と、他業務起動受信手段３９と、
受信データ解析手段３８と、置換指定データファイルを備える点である。
【００６８】
検索起動手段３６は、送電線ブランチ検索手段２４と連変ブランチ検索手段３４と母線
ノード検索手段２６を起動する。
【００６９】
他業務起動受信手段３９は、監視機能、制御機能、訓練業務等、他業務機能からの運用
計算機能の起動情報と電力系統の送電線および連絡用変圧器による分割点の指定情報と計
算対象系統情報を受信する。
【００７０】
受信データ解析手段３８は、他業務起動受信手段３９によって、いずれの送電線もしく
は連絡用変圧器が指定されたかを解析し、その解析結果を置換指定データファイル３７に
保存する。
【００７１】
上記のように構成された本実施形態の作用について、図７及び図８を参照して説明する
。
【００７２】
ここでは制御業務が運用計算業務で系統縮約を用いた潮流計算を行なう場合を例として
説明する。制御業務のオペレータにより潮流計算実施要求と計算対象系統の分割点となる
送電線および連絡用変圧器の情報を運用計算業務の他業務起動受信手段３９に渡す。他業
務起動受信手段３９は受信データ解析手段３８を起動し、制御機能から受け取った送電線
および連絡用変圧器情報と計算対象系統を渡す（ステップ１１４）。
【００７３】
受信データ解析手段３８は受け取った送電線および連絡用変圧器のデータを置換指定デ
ータファイル３７に保存し、検索起動手段３６を起動する（ステップ１１５）。
【００７４】
送電線に対応するブランチの検索と削除と接続ノードの検索は第２の実施形態のステッ
プ１１２→１０３と同じであり、連絡用変圧器に対応するブランチの検索と削除と接続ノ
ードの検索はステップ１１３→１１０に同じであるため、ここでは省略する。また、擬似
負荷もしくは擬似発電機の指定方法は第２の実施形態のステップ１０４と同じなのでここ
では省略する。
【００７５】
受信データ解析手段３８は計算系統指定手段２２を起動し計算対象系統の情報を渡す。
計算系統指定手段２２は設備ＤＢファイル１３の母線データを取り出しオペレータの指定
した側の母線情報を系統指定ファイル３２に保存する（ステップ１１６）。
【００７６】
擬似モデル挿入手段３０が縮約計算用系統ファイル３１にデータを保存する内容は図４
のステップ１０６と同じなのでここでは省略する。他業務起動受信手段３９は計算実行手
段１１と計算データ入力手段１４と擬似モデルＴＭ設定手段２８を起動する。擬似モデル
ＴＭ設定手段２８は縮約計算用系統ファイル３１を参照し、擬似負荷モデルもしくは擬似
発電機モデルに対応するＴＭ値をオンラインＴＭファイル１６から取り出す。
【００７７】
計算実行手段１１は系統縮退手段１２を呼び出す。系統縮退手段１２は縮約計算用系統
ファイル３１とオンラインＳＶファイル１８に保存してある、ノード、ブランチ、発電機
、負荷等の接続状態を元に潮流計算が実行できるように系統縮退を行い計算実行手段１１
に渡す。
【００７８】
計算実行手段１１は系統縮退手段１２から受け取った系統縮退情報と計算データ入力手
段１４と擬似モデルＴＭ設定手段２８から受け取った発電力値、負荷値、電圧値等の入力
データ情報を元に潮流計算を実行し結果を計算結果保存ファイル１７に保存する（ステッ
プ１１７）。
【００７９】
本実施形態によれば、監視業務、制御業務、訓練業務等、他業務から指定された計算電
力系統を分割する送電線および連絡用変圧器に関して、その送電線および連絡用変圧器を
境界とした計算電力系統範囲を運用計算業務のオペレータが指定することなく、設備ＤＢ
ファイルを変更することなしで計算電力系統範囲を可変で設定することができ他業務のオ
ペレータが指定した計算電力系統範囲での潮流計算が可能となる。
【００８０】
（第５の実施形態）
本発明に係る電力系統監視制御装置の第５の実施形態について、図９及び図１０を参照
して説明する。図９は、第５の実施形態の電力系統監視制御装置の構成を示している。図
１０は、第５の実施形態の電力系統監視制御装置のフローを示している。第４の実施形態
と同一の構成には同一の符号を付し、説明は省略する。
【００８１】
本実施形態の電力系統監視制御装置が第４の実施形態の電力系統監視制御装置と異なる
点は、他業務起動受信手段３９の代わりに電気所データ受信手段４０を設けた点である。
【００８２】
電気所データ受信手段４０は、電気所から当該電気所が潮流計算対象外か否かを示す情
報を受け取る。
【００８３】
上記のように構成された本実施形態の作用について、図９及び図１０を参照して説明す
る。
【００８４】
ここでは、予め任意の電気所よりその電気所が計算対象除外であり、その電気所に所属
する送電線および連絡用変圧器の情報を電力系統監視制御装置に送っているものとして説
明する。
【００８５】
オペレータによりＨＭＩ１５ａから計算対象系統の電気所除外情報の受信を指示すると
ＨＭＩ１５ａが電気所データ受信手段４０を起動する。電気所データ受信手段４０は受信
データ解析手段３８を起動し、電気所から受け取った送電線および連絡用変圧器情報と該
当電気所が計算対象外である情報を渡す（ステップ１１８）。
【００８６】
受信データ解析手段３８は受け取った送電線および連絡用変圧器のデータを置換指定デ
ータファイル３７に保存し、検索起動手段３６を起動する（ステップ１１５）。
【００８７】
送電線に対応するブランチの検索と削除と接続ノードの検索は第４の実施形態のステッ
プ１１２→１０３と同じであり、連絡用変圧器に対応するブランチの検索と削除と接続ノ
ードの検索は第４の実施形態のステップ１１３→１１０に同じであるのでここでは省略す
る。
【００８８】
また、擬似負荷もしくは擬似発電機の指定方法は第４の実施形態のステップ１０４と同
じであるのでここでは省略する。また、受信データ解析手段３８が計算系統指定手段２２
を起動して計算対象外電気所を分割点として実際の計算対象系統を指定する方法は第４の
実施形態のステップ１１６と同じなのでここでは省略する。
【００８９】
また、擬似モデル挿入手段３０が縮約計算用系統ファイル３１にデータを保存し、オペ
レータがＨＭＩ１５ａより潮流計算実施を行なう方法は第４の実施形態のステップ１０６
→１０７と同じなのでここでは省略する。
【００９０】
本実施形態によれば、電気所より指定された計算電力系統を分割する送電線および連絡
用変圧器の情報と当該電気所が潮流計算対象外である情報を受信することにより、その送
電線および連絡用変圧器を境界とした電気所を除外した計算電力系統範囲を運用計算業務
のオペレータが指定することなく、かつ設備ＤＢファイルを変更することなしで当該電気
所を除外した計算電力系統範囲の潮流計算が可能となる。
【００９１】
（第６の実施形態）
本発明に係る電力系統監視制御装置の第６の実施形態について、図１１及び図１２を参
照して説明する。図１１は、第６の実施形態の電力系統監視制御装置の構成を示している
。図１２は、第６の実施形態の電力系統監視制御装置のフローを示している。第２の実施
形態と同一の構成には同一の符号を付し、説明は省略する。
【００９２】
図１１に示す電力系統監視制御装置が、第２の実施形態で説明した電力系統監視制御装
置と異なる点は、計算系統指定手段２２と系統指定ファイル３２の代わりに複数系統計算
指定手段４１と複数系統指定ファイル４２を備える点である。
【００９３】
複数系統計算指定手段４１は、複数の計算用系統を指定し、指定結果を複数系統指定フ
ァイル４２に保存する。
【００９４】
上記のように構成された本実施形態の作用について、図１１及び図１２を参照して説明
する。
【００９５】
オペレータがＨＭＩ１５ｂより電力系統を分割する送電線あるいは連絡用変圧器を指定
して、該当ブランチの削除、接続ノードの検索については第２の実施形態のステップ１０
１→１０２→１０３→１０８→１０９→１１０と同じであり、また擬似負荷もしくは擬似
発電機の指定についても第２の実施形態のステップ１０４と同じであるので、ここでは省
略する。
【００９６】
オペレータがＨＭＩ１５ｂより分割指定した送電線および連絡用変圧器を境界として複
数の電力系統の計算を行なうよう指定すると、ＨＭＩ１５ｂが複数系統計算指定手段４１
を起動する。複数系統計算指定手段４１は１つ目に指定された電力系統について設備ＤＢ
ファイル１３の母線データを取り出しオペレータの指定した側の母線情報を複数系統指定
ファイル４２に保存する（ステップ１１９）。
【００９７】
擬似モデル挿入手段３０は設備ＤＢファイル１３の全ノードデータを取り出し、設置ノ
ードファイル２７に保存してあるノードデータに対して複数系統指定ファイル４２に保存
してある母線側のノードデータに擬似モデル指定手段２３より指定された擬似負荷モデル
もしくは擬似発電機モデルを接続して縮約計算用系統ファイル３１にノードデータ、負荷
データ、発電機データとここで挿入した擬似負荷データもしくは擬似発電機データを保存
する（ステップ１２０）。
【００９８】
次に、複数系統計算指定手段４１は計算実行手段１１を起動する。計算実行手段１１は
系統縮退手段１２と計算データ入力手段１４と擬似モデルＴＭ設定手段２８を起動する。
擬似モデルＴＭ設定手段２８は縮約計算用系統ファイル３１を参照し、擬似負荷モデルも
しくは擬似発電機モデルに対応するＴＭ値をオンラインＴＭファイル１６から取り出す。
【００９９】
系統縮退手段１２は縮約計算用系統ファイル３１とオンラインＳＶファイル１８に保存
してある、ノード、ブランチ、発電機、負荷等の接続状態を元に潮流計算が実行できるよ
うに系統縮退を行い計算実行手段１１に渡す。
【０１００】
計算実行手段１１は系統縮退手段１２から受け取った系統縮退情報と計算データ入力手
段１４と擬似モデルＴＭ設定手段２８から受け取った発電力値、負荷値、電圧値の入力デ
ータ情報を元に潮流計算を実行し結果を計算結果保存ファイル１７に保存する。次に計算
実行手段１１は複数系統計算指定手段４１に計算終了の通知を行う（ステップ１２１）。
【０１０１】
以降、複数系統計算指定手段４１がＨＭＩ１５ｂより受け取った計算対象系統数分、ス
テップ１１９→１２０→１２１を繰り返す（ステップ１２２）。
【０１０２】
本実施形態によれば、オペレータがＨＭＩより送電線および連絡用変圧器を指定してで
きた分割された電力系統を複数指定することにより、設備ＤＢファイルを変更することな
しで計算電力系統範囲を可変で設定することができオペレータが指定した分の分割電力系
統の潮流計算が１回のオペレーションで可能となる。
【０１０３】
本発明に係る実施形態によれば、設備ＤＢファイル１３に定義されているデータを変更
することなく、潮流計算対象の計算系統規模を変更できる電力系統監視制御装置を得るこ
とが可能となる。
【０１０４】
以上、本発明のいくつかの実施形態について説明したが、これらの実施形態は、例とし
て提示したものであり、発明の範囲を限定することは意図していない。これら新規な実施
形態は、その他の様々な形態で実施されることが可能であり、発明の要旨を逸脱しない範
囲で、種々の省略、置き換え、変更を行うことが出来る。これら実施形態やその変形は、
発明の範囲や要旨に含まれると共に、特許請求の範囲に記載された発明とその均等の範囲
に含まれる。
【符号の説明】
【０１０５】
１１…計算実行手段
１２…系統縮退手段
１３…設備ＤＢファイル
１４…計算データ入力手段
１５…ＨＭＩ
１６…オンラインＴＭファイル
１７…計算結果保存ファイル
１８…オンラインＳＶファイル
２１…送電線指定手段
２２…計算系統指定手段
２３…擬似モデル指定手段
２４…送電線ブランチ検索手段
２５…置換ブランチファイル
２６…母線ノード検索手段
２７…設置ノードファイル
２８…擬似モデルＴＭ設定手段
２９…ブランチ削除手段
３０…擬似モデル挿入手段
３１…縮約計算用系統ファイル
３２…系統指定ファイル
３３…連変指定手段
３４…連変ブランチ検索手段
３５…置換指定ＤＢファイル
３６…検索起動手段
３７…置換指定データファイル
３８…受信データ解析手段
３９…他業務起動受信手段
４０…電気所データ受信手段
４１…複数系統計算指定手段
４２…複数系統指定ファイル
【図１】
0005525349.tif 000002
【図２】
0005525349.tif 000003
【図３】
0005525349.tif 000004
【図４】
0005525349.tif 000005
【図５】
0005525349.tif 000006
【図６】
0005525349.tif 000007
【図７】
0005525349.tif 000008
【図８】
0005525349.tif 000009
【図９】
0005525349.tif 000010
【図１０】
0005525349.tif 000011
【図１１】
0005525349.tif 000012
【図１２】
0005525349.tif 000013
【図１３】
0005525349.tif 000014